(57)【要約】  【課題】従来のワイヤレスＡＶ機器では、予め決められた機器とのみ無線ネットワークの構築を行い、新たな機器と無線ネットワークの構築を行うことが難しかった。  【解決手段】音声／映像信号を無線により送信する送信装置１１１、１１２と、送信装置１１１、１１２から送信された音声／映像信号を受信して音声／映像再生する出力装置１００と、送信装置１１１、１１２、出力装置１００にコマンドを送信する入力装置１２１、１２２とを備える。入力装置１２１、１２２は、出力装置１００が受信するために必要な接続情報を予め格納している接続情報記憶手段１２５と、その接続情報を出力装置１００に送信する接続情報送信手段１２７、１２８とを有している。出力装置１００は、入力装置１２１、１２２から送信された接続情報を受信する接続情報受信手段１０６と、その受信した接続情報を用いて送信装置１１１、１１２に無線接続する無線接続手段とを有している。【選択図】図１
2007060037.tif 000002
【特許請求の範囲】
【請求項１】
音声信号および／または映像信号を無線により送信する送信装置と、前記送信装置から送信された前記音声信号および／または映像信号を受信して、音声再生および／または映像再生する出力装置と、コマンドを送信して前記送信装置および前記出力装置を操作する入力装置とを備えた無線通信システムであって、
前記入力装置は、前記出力装置が受信するために必要な接続情報を予め格納している接続情報記憶手段と、前記接続情報を前記出力装置に送信する接続情報送信手段とを有し、
前記出力装置は、前記入力装置から送信された前記接続情報を受信する接続情報受信手段と、前記入力装置から受信した前記接続情報を用いて前記送信装置に無線接続する無線接続手段とを有する、無線通信システム。
【請求項２】
音声信号および／または映像信号を無線により送信する送信装置と、前記送信装置から送信された前記音声信号および／または映像信号を受信して、音声再生および／または映像再生する出力装置と、コマンドを送信して前記送信装置および前記出力装置を操作する入力装置とを備えた無線通信システムであって、
前記送信装置は、前記出力装置が受信するために必要な接続情報を前記入力装置に送信する自己接続情報送信手段を有し、
前記入力装置は、前記送信装置から送信された前記接続情報を受信して格納する受信接続情報記憶手段と、格納した前記接続情報を前記出力装置に送信する接続情報送信手段とを有し、
前記出力装置は、前記入力装置から送信された前記接続情報を受信する接続情報受信手段と、前記入力装置から受信した前記接続情報を用いて前記送信装置に無線接続する無線接続手段とを有する、無線通信システム。
【請求項３】
前記入力装置の受信接続情報記憶手段は、異なる前記送信装置から受信した前記接続情報を、前記異なる送信装置毎に複数保持し、
前記入力装置の接続情報送信手段は、複数の前記送信装置のうち、前記出力装置に音声再生および／または映像再生させる前記送信装置に対応する前記接続情報を、前記出力装置に送信する、請求項２に記載の無線通信システム。
【請求項４】
前記出力装置の前記無線接続手段は、前記入力装置から受信した前記接続情報が、既に無線接続されている送信装置に対応する接続情報と同じ場合には、前記既に接続されている無線接続を継続し、前記既に無線接続されている送信装置に対応する接続情報と異なる場合には、前記既に接続されている無線接続を切断した後、前記入力装置から受信した前記接続情報を用いてその接続情報に対応する送信装置に無線接続する、請求項３に記載の無線通信システム。
【請求項５】
前記接続情報には、前記送信装置を識別できる情報が含まれている、請求項１または２に記載の無線通信システム。
【請求項６】
前記接続情報には、無線送信するデータを暗号化または復号化するための暗号鍵情報が含まれている、請求項１または２に記載の無線通信システム。
【請求項７】
前記入力装置は、前記接続情報を前記コマンドのデータに多重化して前記出力装置に送信する、請求項１または２に記載の無線通信システム。
【請求項８】
音声信号および／または映像信号を送信する送信装置に無線により接続され、前記送信装置から送信された前記音声信号および／または映像信号を受信して、音声再生および／または映像再生する出力装置であって、
前記送信装置および前記出力装置にコマンドを送信して操作する入力装置に予め格納されている、前記出力装置が受信するために必要な接続情報を、前記入力装置から受信する接続情報受信手段と、
受信した前記接続情報を用いて前記送信装置に無線接続する無線接続手段とを備えた、出力装置。
【請求項９】
音声信号および／または映像信号を送信する送信装置に無線により接続され、前記送信装置から送信された前記音声信号および／または映像信号を受信して、音声再生および／または映像再生する出力装置であって、
前記送信装置および前記出力装置にコマンドを送信して操作する入力装置が前記送信装置から受信した、前記出力装置が受信するために必要な接続情報を、前記入力装置から受信する接続情報受信手段と、
受信した前記接続情報を用いて前記送信装置に無線接続する無線接続手段とを備えた、出力装置。
【請求項１０】
音声信号および／または映像信号を無線により送信する送信装置と、前記送信装置から送信された前記音声信号および／または映像信号を受信して、音声再生および／または映像再生する出力装置と、コマンドを送信して前記送信装置および前記出力装置を操作する入力装置とを備えた無線通信システムの無線接続方法であって、
前記入力装置に予め格納されている前記出力装置が受信するために必要な接続情報を、前記入力装置によって前記出力装置に送信する接続情報送信ステップと、
前記出力装置によって、前記入力装置から送信された前記接続情報を受信する接続情報受信ステップと、
前記出力装置によって、前記入力装置から受信した前記接続情報を用いて前記送信装置に無線接続する無線接続ステップとを備えた、無線接続方法。
【請求項１１】
音声信号および／または映像信号を無線により送信する送信装置と、前記送信装置から送信された前記音声信号および／または映像信号を受信して、音声再生および／または映像再生する出力装置と、コマンドを送信して前記送信装置および前記出力装置を操作する入力装置とを備えた無線通信システムの無線接続方法であって、
前記送信装置によって、前記出力装置が受信するために必要な接続情報を前記入力装置に送信する自己接続情報送信ステップと、
前記入力装置によって、前記送信装置から送信された前記接続情報を受信して格納する受信接続情報記憶ステップと、
前記入力装置によって、格納した前記接続情報を前記出力装置に送信する接続情報送信ステップと、
前記出力装置によって、前記入力装置から送信された前記接続情報を受信する接続情報受信ステップと、
前記出力装置によって、前記入力装置から受信した前記接続情報を用いて前記送信装置に無線接続する無線接続ステップとを備えた、無線接続方法。
【発明の詳細な説明】
【技術分野】
【０００１】
本発明は、無線通信システム、出力装置、および無線接続方法に関するものである。例えば、８０２．１１ａや８０２．１１ｂ等の無線ＬＡＮ及びＢｌｕｅｔｏｏｔｈ等の無線通信を使用したワイヤレスＡＶ機器を利用する無線通信システム、出力装置、および無線接続方法に関するものである。
【背景技術】
【０００２】
最近では、ディスプレイ等の表示部分のみを分離させて、無線によりその表示部分に映像信号を送信して表示させるなどの、無線通信を利用したワイヤレスＡＶ機器が多く用いられるようになってきた。
【０００３】
図８は、従来の、無線通信を利用したワイヤレスＴＶ受像器の構成図を示している。
【０００４】
このワイヤレスＴＶ受像器は、放送波を受信する放送受信機器３１１と、放送受信機器３１１が受信した放送波を表示する音声・映像表示機器３００が分離されて構成されている。
【０００５】
放送受信機器３１１と音声・映像表示機器３００は、無線ネットワークで接続が行われる。放送受信機器３１１と音声・映像表示機器３００との間で無線接続させるために、放送受信機器３１１には、予め音声・映像表示機器３００と無線接続を行うために必要な情報として、音声・映像表示機器３００を特定する情報（ｂｓｓｉｄやｓｓｉｄ）と、無線ネットワーク上でデータの暗号をかけるための共通の暗号化キー（ＷＥＰキーなど）を保持させている。同様に、音声・映像表示機器３００にも、予め放送受信機器３１１と無線接続を行うために必要な情報として、放送受信機器３１１を特定する情報（ｂｓｓｉｄやｓｓｉｄ）と、無線ネットワーク上でデータの暗号をかけるための共通の暗号化キー（ＷＥＰキーなど）を保持させている。
【０００６】
電源投入後などに、放送受信機器３１１と音声・映像表示機器３００が無線接続を行う場合、接続待ち受け側は保持されている情報を元に接続待ち受け状態になり、登録されている機器以外との接続は行われない。
【０００７】
また、接続を行う側は、保持されている相手を特定する情報を使用して、予め決められた機器と無線接続を行う。
【０００８】
音声・映像表示機器３００および放送受信機器３１１に予め保持されている無線接続を行うために必要な情報を使用して無線接続が行われるため、ユーザーは無線接続の設定を行わなくても、音声・映像表示機器３００と放送受信機器３１１間で無線接続を行うことができる。
【発明の開示】
【発明が解決しようとする課題】
【０００９】
しかしながら、従来の無線通信を利用したワイヤレスＡＶ機器では、通信相手として予め設定されている機器以外の機器との間で無線接続を行うことができない。
【００１０】
すなわち、例えば図８に示すような現在既に発売されているワイヤレスＴＶ受像器では、無線接続を行うために必要な情報は、メーカー出荷時に音声・映像表示機器３００と放送受信機器３１１に登録されており、ユーザーがその情報を変更することができない。
【００１１】
また、音声・映像表示機器３００と放送受信機器３１１は、無線接続実行時、無線接続を行うために必要な通信相手機器の情報を保持していない機器とは無線接続を行わない。そのため、図８に示すように、音声・映像表示機器３００は、放送受信機器３１１以外の音声・映像出力機器（例えば、映像蓄積機器３１２等）と新たに無線ネットワークの構築を行うことができない。
【００１２】
従来のワイヤレスＴＶ受像器で、放送受信機器３１１以外の音声・映像出力機器（例えば、映像蓄積機器３１２等）の映像データの表示を行いたい場合は、放送受信機器３１１と有線接続して、放送受信機器３１１経由で無線接続を行い、音声・映像表示機器３００に表示させていた。もしくは、音声・映像表示機器３００に有線接続する事により表示を行う等、新たに機器を接続する場合は、既に構築された無線ネットワークを構成している機器に有線接続することにより対応していた。
【００１３】
また、パソコンなどの無線ネットワークのように、ＡＶシステムにおいても、無線接続先の登録が行えるようなユーザーインタフェースを持たせた場合、設定するためには無線ネットワークに関する知識を要する。
【００１４】
また、放送受信機器３１１や映像蓄積機器３１２などの音声・映像出力機器に無線接続先の登録が行えるようなユーザーインタフェースを持たせた場合、音声・映像出力機器には、表示機器がないものあるいはきわめて少量の情報しか表示できないものが多いため、無線接続情報を入力、確認するための表示機器を追加する必要があった。
【００１５】
また、音声・映像表示機器３００などの音声・表示出力機器を変更するたびに、無線接続に必要な情報を入力・変更する必要があった。
【００１６】
本発明は、上述した従来の課題を解決するもので、容易に新たな機器との無線接続ができる、無線通信システム、出力装置および無線接続方法を提供することを目的とする。
【課題を解決するための手段】
【００１７】
上述した課題を解決するために、第１の本発明は、
音声信号および／または映像信号を無線により送信する送信装置と、前記送信装置から送信された前記音声信号および／または映像信号を受信して、音声再生および／または映像再生する出力装置と、コマンドを送信して前記送信装置および前記出力装置を操作する入力装置とを備えた無線通信システムであって、
前記入力装置は、前記出力装置が受信するために必要な接続情報を予め格納している接続情報記憶手段と、前記接続情報を前記出力装置に送信する接続情報送信手段とを有し、
前記出力装置は、前記入力装置から送信された前記接続情報を受信する接続情報受信手段と、前記入力装置から受信した前記接続情報を用いて前記送信装置に無線接続する無線接続手段とを有する、無線通信システムである。
【００１８】
また、第２の本発明は、
音声信号および／または映像信号を無線により送信する送信装置と、前記送信装置から送信された前記音声信号および／または映像信号を受信して、音声再生および／または映像再生する出力装置と、コマンドを送信して前記送信装置および前記出力装置を操作する入力装置とを備えた無線通信システムであって、
前記送信装置は、前記出力装置が受信するために必要な接続情報を前記入力装置に送信する自己接続情報送信手段を有し、
前記入力装置は、前記送信装置から送信された前記接続情報を受信して格納する受信接続情報記憶手段と、格納した前記接続情報を前記出力装置に送信する接続情報送信手段とを有し、
前記出力装置は、前記入力装置から送信された前記接続情報を受信する接続情報受信手段と、前記入力装置から受信した前記接続情報を用いて前記送信装置に無線接続する無線接続手段とを有する、無線通信システムである。
【００１９】
また、第３の本発明は、
前記入力装置の受信接続情報記憶手段は、異なる前記送信装置から受信した前記接続情報を、前記異なる送信装置毎に複数保持し、
前記入力装置の接続情報送信手段は、複数の前記送信装置のうち、前記出力装置に音声再生および／または映像再生させる前記送信装置に対応する前記接続情報を、前記出力装置に送信する、第２の本発明の無線通信システムである。
【００２０】
また、第４の本発明は、
前記出力装置の前記無線接続手段は、前記入力装置から受信した前記接続情報が、既に無線接続されている送信装置に対応する接続情報と同じ場合には、前記既に接続されている無線接続を継続し、前記既に無線接続されている送信装置に対応する接続情報と異なる場合には、前記既に接続されている無線接続を切断した後、前記入力装置から受信した前記接続情報を用いてその接続情報に対応する送信装置に無線接続する、第３の本発明の無線通信システムである。
【００２１】
また、第５の本発明は、
前記接続情報には、前記送信装置を識別できる情報が含まれている、第１または第２の本発明の無線通信システムである。
【００２２】
また、第６の本発明は、
前記接続情報には、無線送信するデータを暗号化または復号化するための暗号鍵情報が含まれている、第１または第２の本発明の無線通信システムである。
【００２３】
また、第７の本発明は、
前記入力装置は、前記接続情報を前記コマンドのデータに多重化して前記出力装置に送信する、第１または第２の本発明の無線通信システムである。
【００２４】
また、第８の本発明は、
音声信号および／または映像信号を送信する送信装置に無線により接続され、前記送信装置から送信された前記音声信号および／または映像信号を受信して、音声再生および／または映像再生する出力装置であって、
前記送信装置および前記出力装置にコマンドを送信して操作する入力装置に予め格納されている、前記出力装置が受信するために必要な接続情報を、前記入力装置から受信する接続情報受信手段と、
受信した前記接続情報を用いて前記送信装置に無線接続する無線接続手段とを備えた、出力装置である。
【００２５】
また、第９の本発明は、
音声信号および／または映像信号を送信する送信装置に無線により接続され、前記送信装置から送信された前記音声信号および／または映像信号を受信して、音声再生および／または映像再生する出力装置であって、
前記送信装置および前記出力装置にコマンドを送信して操作する入力装置が前記送信装置から受信した、前記出力装置が受信するために必要な接続情報を、前記入力装置から受信する接続情報受信手段と、
受信した前記接続情報を用いて前記送信装置に無線接続する無線接続手段とを備えた、出力装置である。
【００２６】
また、第１０の本発明は、
音声信号および／または映像信号を無線により送信する送信装置と、前記送信装置から送信された前記音声信号および／または映像信号を受信して、音声再生および／または映像再生する出力装置と、コマンドを送信して前記送信装置および前記出力装置を操作する入力装置とを備えた無線通信システムの無線接続方法であって、
前記入力装置に予め格納されている前記出力装置が受信するために必要な接続情報を、前記入力装置によって前記出力装置に送信する接続情報送信ステップと、
前記出力装置によって、前記入力装置から送信された前記接続情報を受信する接続情報受信ステップと、
前記出力装置によって、前記入力装置から受信した前記接続情報を用いて前記送信装置に無線接続する無線接続ステップとを備えた、無線接続方法である。
【００２７】
また、第１１の本発明は、
音声信号および／または映像信号を無線により送信する送信装置と、前記送信装置から送信された前記音声信号および／または映像信号を受信して、音声再生および／または映像再生する出力装置と、コマンドを送信して前記送信装置および前記出力装置を操作する入力装置とを備えた無線通信システムの無線接続方法であって、
前記送信装置によって、前記出力装置が受信するために必要な接続情報を前記入力装置に送信する自己接続情報送信ステップと、
前記入力装置によって、前記送信装置から送信された前記接続情報を受信して格納する受信接続情報記憶ステップと、
前記入力装置によって、格納した前記接続情報を前記出力装置に送信する接続情報送信ステップと、
前記出力装置によって、前記入力装置から送信された前記接続情報を受信する接続情報受信ステップと、
前記出力装置によって、前記入力装置から受信した前記接続情報を用いて前記送信装置に無線接続する無線接続ステップとを備えた、無線接続方法である。
【発明の効果】
【００２８】
本発明により、容易に新たな機器との無線接続ができる、無線通信システム、出力装置および無線接続方法を提供できる。
【発明を実施するための最良の形態】
【００２９】
以下に、本発明の実施の形態について、図面を参照しながら説明する。
【００３０】
（実施の形態１）
図１は、本発明の実施の形態１の無線通信システムの構成図を示している。
【００３１】
本実施の形態１の無線通信システムは、放送受信機器１１１や音声・映像蓄積機器１１２等の音声・映像出力機器と、放送受信機器用リモコン１２１や音声・映像蓄積機器用リモコン１２２等の入力機器と、音声・映像表示機器１００を備えている。
【００３２】
なお、音声・映像表示機器１００が、本発明の出力装置の一例にあたる。また、放送受信機器１１１および音声・映像蓄積機器１１２が、いずれも本発明の送信装置の一例にあたる。また、放送受信機器用リモコン１２１および音声・映像蓄積機器用リモコン１２２が、いずれも本発明の入力装置の一例にあたる。
【００３３】
放送受信機器用リモコン１２１は、放送受信機器１１１を操作するためのリモコンであり、音声・映像蓄積機器用リモコン１２２は、音声・映像蓄積機器１１２を操作するためのリモコンである。
【００３４】
放送受信機器用リモコン１２１は、無線接続情報格納領域１２５を有しており、この無線接続情報格納領域１２５には、無線接続を行うために必要な情報として、放送受信機器１１１を特定する情報（ｂｓｓｉｄやｓｓｉｄ）と、放送受信機器１１１に無線接続した際に使用する無線ネットワーク上のデータに暗号をかけるための暗号化キー（ＷＥＰキーなど）とを、メーカー出荷時に登録しておく。
【００３５】
同様に、音声・映像蓄積機器用リモコン１２２は、無線接続情報格納領域１２６を有しており、この無線接続情報格納領域１２６には、無線接続を行うために必要な情報として、音声・映像蓄積機器１１２を特定する情報（ｂｓｓｉｄやｓｓｉｄ）と、音声・映像蓄積機器１１２に無線接続した際に使用する無線ネットワーク上のデータに暗号をかけるための暗号化キー（ＷＥＰキーなど）とを、メーカー出荷時に登録しておく。
【００３６】
なお、無線接続情報格納領域１２５および無線接続情報格納領域１２６が、いずれも本発明の、出力装置が受信するために必要な接続情報を予め格納している接続情報記憶手段の一例にあたる。また、無線接続情報格納領域１２５および無線接続情報格納領域１２６に登録されている暗号化キー（ＷＥＰキーなど）が、本発明の暗号鍵情報の一例にあたる。
【００３７】
通常、放送受信機器用リモコン１２１や音声・映像蓄積機器用リモコン１２２等の入力機器は、電源投入、チャネル切替、音声・映像再生などの操作コマンドを放送受信機器１１１や音声・映像蓄積機器１１２等の音声・映像出力機器に送信するために、ＩｒＤＡなどの通信手段を有している。本実施の形態１においても、放送受信機器用リモコン１２１および音声・映像蓄積機器用リモコン１２２は、それぞれ、ＩｒＤＡ送受信部１２７およびＩｒＤＡ送受信部１２８を有している。
【００３８】
なお、ＩｒＤＡ送受信部１２７およびＩｒＤＡ送受信部１２８が、いずれも本発明の接続情報送信手段の一例にあたる。
【００３９】
放送受信機器用リモコン１２１が有しているＩｒＤＡ送受信部１２７、および音声・映像蓄積機器用リモコン１２２が有しているＩｒＤＡ送受信部１２８は、音声・映像表示機器１００にも、電源投入、チャネル切替、音声・映像再生の操作コマンドを送信する。それに加えて、ＩｒＤＡ送受信部１２７は、無線接続情報格納領域１２５に登録されている、放送受信機器１１１を特定する情報（ｂｓｓｉｄやｓｓｉｄ）と放送受信機器１１１に無線接続した際に使用する無線ネットワーク上のデータに暗号をかけるための暗号化キー（ＷＥＰキーなど）等の無線接続を行うために必要な情報とを、送信するための通信手段としての拡張が行われている。同様に、ＩｒＤＡ送受信部１２８は、無線接続情報格納領域１２６に登録されている、音声・映像蓄積機器１１２を特定する情報（ｂｓｓｉｄやｓｓｉｄ）と音声・映像蓄積機器１１２に無線接続した際に使用する無線ネットワーク上のデータに暗号をかけるための暗号化キー（ＷＥＰキーなど）等の無線接続を行うために必要な情報とを、送信するための通信手段としての拡張が行われている。
【００４０】
次に、図１および図２を用いて、本実施の形態１の無線通信システムの動作について説明する。
【００４１】
図２は、本実施の形態１の無線通信システムの各機器間の通信情報の流れを説明する図である。
【００４２】
放送受信機器１１１は、設置後、メーカー出荷時に登録されている、放送受信機器１１１を特定する情報（ｂｓｓｉｄやｓｓｉｄ）と放送受信機器１１１に無線接続した際に使用する無線ネットワーク上のデータに暗号をかけるための暗号化キー（ＷＥＰキーなど）とを使用して、接続待ち受け状態となる。
【００４３】
同様に、音声・映像蓄積機器１１２も、設置後、メーカー出荷時に登録されている、音声・映像蓄積機器１１２を特定する情報（ｂｓｓｉｄやｓｓｉｄ）と音声・映像蓄積機器１１２に無線接続した際に使用する無線ネットワーク上のデータに暗号をかけるための暗号化キー（ＷＥＰキーなど）とを使用して、接続待ち受け状態となる。
【００４４】
ユーザーは、放送受信機器１１１が受信する放送波を音声・映像表示機器１００を使用して視聴を行う場合、放送受信機器１１１を操作するための放送受信機器用リモコン１２１を使用して、音声・映像表示機器１００に向けて、電源投入などの操作を行う。その際、放送受信機器用リモコン１２１は、放送受信機器１１１と無線ネットワークを構成するために必要な情報として無線接続情報格納領域１２５に保持している、放送受信機器１１１を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１２７を使用して、音声・映像表示機器１００に送信する。図２の電源ｏｎ／放送受信部接続情報２０１が、この情報の流れを示している。
【００４５】
なお、放送受信機器用リモコン１２１が、無線接続情報格納領域１２５に保持している、放送受信機器１１１を特定する情報（ｂｓｓｉｄやｓｓｉｄ）や無線ネットワーク上のデータに暗号をかけるための暗号化キー（ＷＥＰキーなど）の情報を音声・映像表示機器１００に送信する処理が、本発明の接続情報送信ステップの一例にあたる。
【００４６】
放送受信機器用リモコン１２１は、放送受信機器１１１と無線ネットワークを構成するために必要な情報として無線接続情報格納領域１２５に保持している、放送受信機器１１１を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１２７を使用して音声・映像表示機器１００に送信する際、操作コマンドを多重して送信してもよい。
【００４７】
音声・映像表示機器１００は、放送受信機器１１１を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１０６で受信して、無線接続情報格納領域１０５に格納する。そして、音声・映像表示機器１００は、無線接続情報格納領域１０５に格納された放送受信機器１１１を特定する情報（ｂｓｓｉｄやｓｓｉｄ）を利用して、無線ネットワークの探索を行い、放送受信機器１１１と無線接続を行う。図２の無線接続処理２２１が、この処理を示している。
【００４８】
なお、音声・映像表示機器１００が、放送受信機器１１１を特定する情報（ｂｓｓｉｄやｓｓｉｄ）や無線ネットワーク上のデータに暗号をかけるための暗号化キー（ＷＥＰキーなど）の情報をＩｒＤＡ送受信部１０６で受信する処理が、本発明の接続情報受信ステップの一例にあたる。また、音声・映像表示機器１００が放送受信機器１１１と無線接続を行う処理が、本発明の無線接続ステップの一例にあたる。
【００４９】
また、図１に示す音声・映像表示機器１００内の無線モジュールが制御マイコンに制御されて、この無線接続処理が行なわれる。この音声・映像表示機器１００内の無線モジュールおよび制御マイコンが、本発明の無線接続手段の一例にあたる。また、ＩｒＤＡ送受信部１０６が、本発明の接続情報受信手段の一例にあたる。
【００５０】
そして、音声・映像表示機器１００は、放送受信機器１１１との無線接続完了後に、放送受信機器用リモコン１２１から受信した電源投入などの操作コマンド（図２の電源ｏｎ要求２１１）を、接続されている無線ネットワークを利用して放送受信機器１１１に送信する。このとき、無線ネットワークを利用して送信する際のデータには、放送受信機器用リモコン１２１から受信した放送受信機器１１１との無線ネットワークで利用される暗号化キー（ＷＥＰキーなど）を利用して暗号化がかけられる。
【００５１】
無線ネットワーク経由で、音声・映像表示機器１００からの電源投入などの操作コマンドを受信した放送受信機器１１１は、その操作コマンドに応じた処理を実施する。
【００５２】
また、放送受信機器１１１から音声・映像表示機器１００に送信される音声・映像情報（図２の放送波１映像データ２２２）も、同様に無線ネットワークで利用される暗号化キー（ＷＥＰキーなど）を利用して暗号化がかけられる。
【００５３】
放送受信機器１１１と音声・映像表示機器１００の間で無線接続が行われている状態で、ユーザーが例えば、チャネル切り替えなどの操作を放送受信機器用リモコン１２１を使用して行った場合、放送受信機器用リモコン１２１は、放送受信機器１１１と音声・映像表示機器１００の間で無線接続が行われているかどうか判断するのが難しいため、放送受信機器１１１と無線ネットワークを構成するために必要な情報として無線接続情報格納領域１２５に保持している、放送受信機器１１１を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１２７から再度、音声・映像表示機器１００に送信する。図２のｃｈ切換／放送受信部接続情報２０２が、この情報の流れを示している。
【００５４】
音声・映像表示機器１００は、放送受信機器１１１との間で無線接続が行われている状態で、放送受信機器用リモコン１２１から無線接続を行うために必要な放送受信機器１１１を特定する情報（ｂｓｓｉｄやｓｓｉｄ）や無線ネットワーク上のデータに暗号をかけるための暗号化キー（ＷＥＰキーなど）の情報をＩｒＤＡ送受信部１０６で受信した場合は、既に放送受信機器１１１と無線接続が行われているために、再度無線接続処理は行わないで、既に接続されている無線ネットワークを利用して、チャネル切り替えなどの操作コマンド（図２のｃｈ切換要求２１２）を放送受信機器１１１との無線ネットワークで利用される暗号化キー（ＷＥＰキーなど）を利用して暗号化して、放送受信機器１１１に送信する。
【００５５】
なお、音声・映像表示機器１００において、新たに受信した無線接続を行うために必要な情報が、既に無線接続がされている機器の情報か否かは、無線接続する機器を特定する情報（ｂｓｓｉｄやｓｓｉｄ）について、受信したものと既に無線接続に使用しているものとが同一か否かで判断する。なお、無線接続する機器を特定できるｂｓｓｉｄやｓｓｉｄの情報が、本発明の、送信装置を識別できる情報の一例にあたる。
【００５６】
無線ネットワーク経由で、音声・映像表示機器１００からの操作コマンドを受信した放送受信機器１１１は、その操作コマンドに応じた処理を実施する。チャネル切り替えのコマンドを受信した場合には、放送受信機器１１１は、その指定された新たなチャネルの音声・映像情報（図２の放送波２映像データ２２３）を、無線ネットワークで利用される暗号化キー（ＷＥＰキーなど）を利用して暗号化をかけて音声・映像表示機器１００に送信する。
【００５７】
ユーザーが新たに、音声・映像蓄積機器１１２に蓄積されている音声・映像情報を音声・映像表示機器１００を使用して視聴したい場合、音声・映像蓄積機器用リモコン１２２を利用して、電源投入、再生ボタンなどの操作を行う。
【００５８】
操作が行われた音声・映像蓄積機器用リモコン１２２は、音声・映像蓄積機器１１２と無線ネットワークを構成するために必要な情報として無線接続情報格納領域１２６に蓄積されている、音声・映像蓄積機器１１２を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１２８を使用して、音声・映像表示機器１００に送信する。図２の再生要求／映像蓄積部接続情報２３１が、この情報の流れを示している。
【００５９】
音声・映像蓄積機器用リモコン１２２は、音声・映像蓄積機器１１２と無線ネットワークを構成するために必要な情報として無線接続情報格納領域１２６に保持している、音声・映像蓄積機器１１２を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１２８を使用して音声・映像表示機器１００に送信する際、操作コマンドを多重して送信してもよい。
【００６０】
音声・映像表示機器１００は、音声・映像蓄積機器１１２を特定する情報（ｂｓｓｉｄやｓｓｉｄ）や無線ネットワーク上のデータに暗号をかけるための暗号化キー（ＷＥＰキーなど）の情報をＩｒＤＡ送受信部１０６で受信すると、放送受信機器１１１との無線接続を切断した後に、音声・映像蓄積機器１１２を特定する情報（ｂｓｓｉｄやｓｓｉｄ）を利用して、無線ネットワークの探索を行い、音声・映像蓄積機器１１２と無線接続を行う。図２の切断処理２２４および無線接続処理２５１が、これらの処理を示している。
【００６１】
そして、音声・映像表示機器１００は、音声・映像蓄積機器１１２との無線接続完了後に、音声・映像蓄積機器用リモコン１２２から受信した再生などの操作コマンド（図２の再生要求２４１）を、接続されている無線ネットワークを利用して音声・映像蓄積機器１１２に送信する。このとき、無線ネットワークを利用して送信する際のデータには、音声・映像蓄積機器用リモコン１２２から受信した音声・映像蓄積機器１１２との無線ネットワークで利用される暗号化キー（ＷＥＰキーなど）を利用して暗号化がかけられる。
【００６２】
無線ネットワーク経由で、音声・映像表示機器１００からの再生などの操作コマンドを受信した音声・映像蓄積機器１１２は、その操作コマンドに応じた処理を実施する。
【００６３】
また、音声・映像蓄積機器１１２から音声・映像表示機器１００に送信される音声・映像情報（図２の映像蓄積部映像データ２５２）も、同様に無線ネットワークで利用される暗号化キー（ＷＥＰキーなど）を利用して暗号化がかけられる。
【００６４】
放送受信機器１１１と音声・映像表示機器１００との間で無線接続が行われている状態で、放送受信機器１１１と異なる機器、例えば音声・映像蓄積機器用リモコン１２２から音声・映像蓄積機器１１２を特定する情報（ｂｓｓｉｄやｓｓｉｄ）や無線ネットワーク上のデータに暗号をかけるための暗号化キー（ＷＥＰキーなど）の無線接続を行うために必要な情報を受信した音声・映像表示機器１００は、既に接続されている放送受信機器１１１との無線接続を切断し、新たに受信した音声・映像蓄積機器１１２を特定する情報（ｂｓｓｉｄやｓｓｉｄ）を利用して、無線ネットワークの探索を行い、音声・映像蓄積機器１１２と無線接続を行う。
【００６５】
新たに無線接続が行われた音声・映像表示機器１００と音声・映像蓄積機器１１２間で伝送される、音声・映像蓄積機器用リモコン１２２からの操作コマンドや音声・映像情報は、新たに無線接続が行われた音声・映像蓄積機器１１２用の暗号化キー（ＷＥＰキーなど）を利用して暗号化がかけられる。
【００６６】
また、無線接続が切断された放送受信機器１１１は、再度音声・映像表示機器１００からの無線接続要求が有った場合に無線接続が行えるように、接続待ち受け状態に移行する。
【００６７】
以上に説明したように、本実施の形態１の無線通信システムは、音声・映像表示機器１００と、放送受信機器１１１や音声・映像蓄積機器１１２等の音声・映像出力機器とにより構成されるワイヤレスＡＶ機器において、音声・映像表示機器１００は放送受信機器１１１や音声・映像蓄積機器１１２等の様々な音声・映像出力機器と無線接続が行われるため、音声・映像出力機器と無線接続を行うために必要な情報（接続先を特定するような情報、ｂｓｓｉｄやｓｓｉｄやＷＥＰキー等）の音声・映像表示機器１００への、メーカー出荷時等における事前登録は行わない。
【００６８】
また、放送受信機器１１１や音声・映像蓄積機器１１２等の音声・映像出力機器も、音声・映像表示機器１００と無線接続を行うために必要な情報（接続相手先を特定するような情報、ｓｓｉｄやＷＥＰキー等）を保持しない。
【００６９】
放送受信機器１１１や音声・映像蓄積機器１１２等の音声・映像出力機器には、各機器を操作するためのリモコン等の入力機器（放送受信機器用リモコン１２１や音声・映像蓄積機器用リモコン１２２等）を同梱し、放送受信機器１１１や音声・映像蓄積機器１１２等の音声・映像出力機器と無線接続を行うために必要な情報（接続先を特定するような情報、ｂｓｓｉｄやｓｓｉｄやＷＥＰキー等）を保持させておく。
【００７０】
放送受信機器用リモコン１２１や音声・映像蓄積機器用リモコン１２２等の入力機器と音声・映像表示機器１００には、放送受信機器用リモコン１２１や音声・映像蓄積機器用リモコン１２２等の入力機器が保持している無線接続を行うために必要な情報を相互に送受信を行うための通信手段を持たせている。
【００７１】
放送受信機器１１１で受信した放送波の音声・映像情報を音声・映像表示機器１００に表示させたい場合、放送受信機器用リモコン１２１を利用して、電源投入や音声・映像切り替え入力などの操作を行う。
【００７２】
放送受信機器用リモコン１２１は、電源投入や音声・映像切り替え入力などの操作が行われた場合、無線接続情報格納領域１２５に保持している放送受信機器１１１と無線接続を行うために必要な情報を、音声・映像表示機器１００に送信する。
【００７３】
放送受信機器１１１と無線接続を行うために必要な情報を、音声・映像表示機器１００へ送信時、電源投入や音声・映像切り替え入力などの操作コマンドを多重して送信してもよいとする。
【００７４】
放送受信機器用リモコン１２１から、放送受信機器１１１と無線接続を行うために必要な情報を受信した音声・映像表示機器１００は、受信した情報を元に、放送受信機器１１１に対して無線接続を行う。
【００７５】
放送受信機器１１１は、保持している無線接続を行うために必要な情報を元に接続待ち受け状態になっており、放送受信機器用リモコン１２１から無線接続を行うために必要な情報を受け取った音声・映像表示機器１００から接続要求が行われたときに、無線接続を行うものとする。
【００７６】
同様に、音声・映像蓄積機器１１２から出力される音声・映像蓄積情報を音声・映像表示機器１００に表示させたい場合は、音声・映像蓄積機器用リモコン１２２を利用して、電源投入や音声・映像切り替え入力などの操作を行う。
【００７７】
音声・映像蓄積機器用リモコン１２２は、電源投入や音声・映像切り替え入力などの操作が行われた場合、無線接続情報格納領域１２６に保持している音声・映像蓄積機器１１２と無線接続を行うために必要な情報を、音声・映像表示機器１００に送信する。
【００７８】
音声・映像蓄積機器１１２と無線接続を行うために必要な情報を、音声・映像表示機器１００への送信時、電源投入や音声・映像切り替え入力などの操作コマンドを多重して送信してもよいとする。
【００７９】
音声・映像蓄積機器用リモコン１２２から、音声・映像蓄積機器１１２と無線接続を行うために必要な情報を受信した音声・映像表示機器１００は、受信した情報を元に、音声・映像蓄積機器１１２に対して無線接続を行う。
【００８０】
音声・映像蓄積機器１１２は、保持している無線接続を行うために必要な情報を元に接続待ち受け状態になっており、音声・映像蓄積機器用リモコン１２２から無線接続を行うために必要な情報を受け取った音声・映像表示機器１００から接続要求が行われたときに、無線接続を行うものとする。
【００８１】
既に他の音声・映像出力機器と無線接続が行われている状態で、異なる音声・映像出力機器の音声・映像情報を表示させたい場合、表示させたい音声・映像情報の発生源となる音声・映像出力機器用の入力機器を利用して、電源投入や音声・映像入力切り替えなどの操作を行い、入力機器から無線接続を行うために必要な情報を音声・映像表示機器１００に送信する。
【００８２】
無線接続が行われている状態で、既に接続されている機器と異なる機器の無線接続を行うために必要な情報を受信した音声・映像表示機器１００は、既に接続されている音声・映像出力機器との無線接続を切断し、新たに受信した無線接続を行うために必要な情報を元に、新たな音声・映像出力機器と無線接続を行う。
【００８３】
既に無線接続が行われている状態で、現在接続中の音声・映像出力機器の無線接続を行うために必要な情報を受信した音声・映像表示機器１００は、無線接続処理を実行しないで、現在接続されている無線接続を継続する。
【００８４】
本実施の形態１の無線通信システムを用いることにより、音声・映像表示機器１００に表示したい放送受信機器１１１や音声・映像蓄積機器１１２等の音声・映像出力機器を操作するための放送受信機器用リモコン１２１や音声・映像蓄積機器用リモコン１２２等の入力機器を使用して、電源投入や音声・映像切替入力などの通常の操作をするだけで、接続対象となる接続機器を特定でき、ユーザーが意識することなく無線接続を行うことができる。
【００８５】
また、音声・映像表示機器１００と放送受信機器１１１や音声・映像蓄積機器１１２等の音声・映像出力機器とが無線接続するために必要な情報（接続先を特定するような情報、ｓｓｉｄ、ＷＥＰキー等）を、ユーザーが設定することなく、無線接続を行うことができる。
【００８６】
また、音声・映像出力機器は無線接続待ち状態となり、放送受信機器１１１や音声・映像蓄積機器１１２等の音声・映像出力機器を操作するための放送受信機器用リモコン１２１や音声・映像蓄積機器用リモコン１２２等の入力機器に、放送受信機器１１１や音声・映像蓄積機器１１２等の音声・映像出力機器と無線接続を行うために必要な情報を保持させておき、電源投入時や音声・映像委入力切替時等の操作を行ったときに、音声・映像表示機器１００に表示する音声・映像情報を所有している放送受信機器１１１や音声・映像蓄積機器１１２等の音声・映像出力機器と無線接続を行うため、容易に無線ネットワークの変更を可能とするものである。
【００８７】
（実施の形態２）
図３は、本発明の実施の形態２の無線通信システムの構成図を示している。なお、図１と同じ構成部分には同じ符号を用いている。
【００８８】
図１に示した実施の形態１の無線通信システムの場合、放送受信機器１１１や音声・映像蓄積機器１１２等の音声・映像出力機器、および放送受信機器１１１や音声・映像蓄積機器１１２等の音声・映像出力機器を操作するための放送受信機器用リモコン１２１や音声・映像蓄積機器用リモコン１２２等の入力機器の両方に、メーカー出荷時に無線接続に必要な放送受信機器１１１や音声・映像蓄積機器１１２等の音声・映像出力機器を特定する情報（ｂｓｓｉｄやｓｓｉｄ）と放送受信機器１１１や音声・映像蓄積機器１１２等の音声・映像出力機器との無線接続した際に使用する無線ネットワーク上のデータに暗号をかけるための暗号化キー（ＷＥＰキーなど）を登録しておくため、放送受信機器１１１や音声・映像蓄積機器１１２等の音声・映像出力機器と、放送受信機器１１１や音声・映像蓄積機器１１２等の音声・映像出力機器を操作するための放送受信機器用リモコン１２１や音声・映像蓄積機器用リモコン１２２等の入力機器との組み合わせが固定となる、というデメリットが発生する。
【００８９】
本実施の形態２の無線通信システムは、この実施の形態１のデメリットを解決するものである。
【００９０】
本実施の形態２の無線通信システムは、放送受信機器１５１や音声・映像蓄積機器１５２等の音声・映像出力機器と、放送受信機器用リモコン１６１や音声・映像蓄積機器用リモコン１６２等の入力機器と、音声・映像表示機器１００を備えている。
【００９１】
なお、音声・映像表示機器１００が、本発明の出力装置の一例にあたる。また、放送受信機器１５１および音声・映像蓄積機器１５２が、いずれも本発明の送信装置の一例にあたる。また、放送受信機器用リモコン１６１および音声・映像蓄積機器用リモコン１６２が、いずれも本発明の入力装置の一例にあたる。
【００９２】
放送受信機器用リモコン１６１は、放送受信機器１５１を操作するためのリモコンであり、音声・映像蓄積機器用リモコン１６２は、音声・映像蓄積機器１５２を操作するためのリモコンである。
【００９３】
本実施の形態２の無線通信システムでは、放送受信機器１５１の無線接続情報格納領域１５５に、無線接続を行うために必要な情報として、放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）をメーカー出荷時に登録しておく。
【００９４】
同様に、音声・映像蓄積機器１５２の無線接続情報格納領域１５６に、無線接続を行うために必要な情報として、音声・映像蓄積機器１５２を特定する情報（ｂｓｓｉｄやｓｓｉｄ）と音声・映像蓄積機器１５２に無線接続した際に使用する無線ネットワーク上のデータに暗号をかけるための暗号化キー（ＷＥＰキーなど）をメーカー出荷時に登録しておく。
【００９５】
通常、放送受信機器用リモコン１６１や音声・映像蓄積機器用リモコン１６２等の入力機器は、電源投入、チャネル切替、音声・映像再生などの操作コマンドを放送受信機器１５１や音声・映像蓄積機器１５２等の音声・映像出力機器に送信するために、ＩｒＤＡなどの通信手段を有している。本実施の形態２においても、放送受信機器用リモコン１６１および音声・映像蓄積機器用リモコン１６２は、それぞれ、ＩｒＤＡ送受信部１６７およびＩｒＤＡ送受信部１６８を有している。同様に、放送受信機器１５１および音声・映像蓄積機器１５２も、ＩｒＤＡ送受信部１５７およびＩｒＤＡ送受信部１５８を有している。
【００９６】
なお、ＩｒＤＡ送受信部１６７およびＩｒＤＡ送受信部１６８が、いずれも本発明の接続情報送信手段の一例にあたる。また、ＩｒＤＡ送受信部１５７およびＩｒＤＡ送受信部１５８が、いずれも本発明の自己接続情報送信手段の一例にあたる。
【００９７】
ＩｒＤＡ送受信部１６７およびＩｒＤＡ送受信部１５７は、操作コマンドを送受信するだけではなく、放送受信機器１５１が無線接続情報格納領域１５５に保持している、放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）等の無線接続を行うために必要な情報とを、放送受信機器１５１と放送受信機器用リモコン１６１との間で送受信するための通信手段としての拡張が行われている。
【００９８】
同様に、ＩｒＤＡ送受信部１６８およびＩｒＤＡ送受信部１５８も、操作コマンドを送受信するだけではなく、音声・映像蓄積機器１５２が無線接続情報格納領域１５６に保持している、音声・映像蓄積機器１５２を特定する情報（ｂｓｓｉｄやｓｓｉｄ）と音声・映像蓄積機器１５２に無線接続した際に使用する無線ネットワーク上のデータに暗号をかけるための暗号化キー（ＷＥＰキーなど）等の無線接続を行うために必要な情報とを、音声・映像蓄積機器１５２と音声・映像蓄積機器用リモコン１６２との間で送受信するための通信手段としての拡張が行われている。
【００９９】
また、放送受信機器用リモコン１６１は、無線接続情報格納領域１６５を有しており、ＩｒＤＡ送受信部１６７で受信した、放送受信機器１５１の無線接続情報格納領域１５５に保持している放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）等の無線接続を行うために必要な情報とを、この無線接続情報格納領域１６５に格納し、保持しておく。
【０１００】
同様に、音声・映像蓄積機器用リモコン１６２は、無線接続情報格納領域１６６を有しており、ＩｒＤＡ送受信部１６８で受信した、音声・映像蓄積機器１５２の無線接続情報格納領域１５６に保持している音声・映像蓄積機器１５２を特定する情報（ｂｓｓｉｄやｓｓｉｄ）と音声・映像蓄積機器１５２に無線接続した際に使用する無線ネットワーク上のデータに暗号をかけるための暗号化キー（ＷＥＰキーなど）等の無線接続を行うために必要な情報とを、この無線接続情報格納領域１６６に格納し、保持しておく。
【０１０１】
なお、無線接続情報格納領域１６５および無線接続情報格納領域１６６が、いずれも本発明の受信接続情報記憶手段の一例にあたる。
【０１０２】
放送受信機器用リモコン１６１が有しているＩｒＤＡ送受信部１６７、および音声・映像蓄積機器用リモコン１６２が有しているＩｒＤＡ送受信部１６８は、音声・映像表示機器１００にも、電源投入、チャネル切替、音声・映像再生の操作コマンドを送信する。それに加えてＩｒＤＡ送受信部１６７は、放送受信機器１５１から受信し無線接続情報格納領域１６５に保持している、放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）等の無線接続を行うために必要な情報とを、音声・映像表示機器１００に送信するための通信手段としての拡張が行われている。同様に、ＩｒＤＡ送受信部１６８も、音声・映像蓄積機器１５２から受信し無線接続情報格納領域１６６に保持している、音声・映像蓄積機器１５２を特定する情報（ｂｓｓｉｄやｓｓｉｄ）と音声・映像蓄積機器１５２に無線接続した際に使用する無線ネットワーク上のデータに暗号をかけるための暗号化キー（ＷＥＰキーなど）等の無線接続を行うために必要な情報とを、音声・映像表示機器１００に送信するための通信手段としての拡張が行われている。
【０１０３】
次に、本実施の形態２の無線通信システムの動作について説明する。
【０１０４】
まず、放送受信機器用リモコン１６１は、ＩｒＤＡ送受信部１６７を使用して、放送受信機器１５１を特定する情報（ｂｓｓｉｄやｓｓｉｄ）と、放送受信機器１５１に無線接続した際に使用する無線ネットワーク上のデータに暗号をかけるための暗号化キー（ＷＥＰキーなど）とを取得する要求を、放送受信機器１５１に出す。その取得要求をＩｒＤＡ送受信部１５７で受信した放送受信機器１５１は、メーカー出荷時に登録されている放送受信機器１５１を特定する情報（ｂｓｓｉｄやｓｓｉｄ）と、放送受信機器１５１に無線接続した際に使用する無線ネットワーク上のデータに暗号をかけるための暗号化キー（ＷＥＰキーなど）とを放送受信機器用リモコン１６１に送信する。放送受信機器用リモコン１６１は、その情報を受信して無線接続情報格納領域１６５に格納する。
【０１０５】
同様に、音声・映像蓄積機器用リモコン１６２は、ＩｒＤＡ送受信部１６８を使用して、音声・映像蓄積機器１５２を特定する情報（ｂｓｓｉｄやｓｓｉｄ）と、音声・映像蓄積機器１５２に無線接続した際に使用する無線ネットワーク上のデータに暗号をかけるための暗号化キー（ＷＥＰキーなど）とを取得する要求を、音声・映像蓄積機器１５２に出す。その取得要求をＩｒＤＡ送受信部１５８で受信した音声・映像蓄積機器１５２は、メーカー出荷時に登録されている音声・映像蓄積機器１５２を特定する情報（ｂｓｓｉｄやｓｓｉｄ）と、音声・映像蓄積機器１５２に無線接続した際に使用する無線ネットワーク上のデータに暗号をかけるための暗号化キー（ＷＥＰキーなど）とを音声・映像蓄積機器用リモコン１６２に送信する。音声・映像蓄積機器用リモコン１６２は、その情報を受信して無線接続情報格納領域１６６に格納する。
【０１０６】
ここで、放送受信機器１５１が、放送受信機器１５１を特定する情報（ｂｓｓｉｄやｓｓｉｄ）と、放送受信機器１５１に無線接続した際に使用する無線ネットワーク上のデータに暗号をかけるための暗号化キー（ＷＥＰキーなど）とを放送受信機器用リモコン１６１に送信する処理、および、音声・映像蓄積機器１５２が、音声・映像蓄積機器１５２を特定する情報（ｂｓｓｉｄやｓｓｉｄ）と、音声・映像蓄積機器１５２に無線接続した際に使用する無線ネットワーク上のデータに暗号をかけるための暗号化キー（ＷＥＰキーなど）とを音声・映像蓄積機器用リモコン１６２に送信する処理が、いずれも本発明の、自己接続情報送信ステップの一例にあたる。
【０１０７】
また、放送受信機器用リモコン１６１が、放送受信機器１５１を特定する情報（ｂｓｓｉｄやｓｓｉｄ）と、放送受信機器１５１に無線接続した際に使用する無線ネットワーク上のデータに暗号をかけるための暗号化キー（ＷＥＰキーなど）とを放送受信機器１５１から受信して無線接続情報格納領域１６５に格納する処理、および、音声・映像蓄積機器用リモコン１６２が、音声・映像蓄積機器１５２を特定する情報（ｂｓｓｉｄやｓｓｉｄ）と、音声・映像蓄積機器１５２に無線接続した際に使用する無線ネットワーク上のデータに暗号をかけるための暗号化キー（ＷＥＰキーなど）とを音声・映像蓄積機器１５２から受信して無線接続情報格納領域１６６に格納する処理が、いずれも本発明の受信接続情報記憶ステップの一例にあたる。
【０１０８】
放送受信機器１５１は、設置後、メーカー出荷時に登録されている放送受信機器１５１を特定する情報（ｂｓｓｉｄやｓｓｉｄ）と、放送受信機器１５１に無線接続した際に使用する無線ネットワーク上のデータに暗号をかけるための暗号化キー（ＷＥＰキーなど）とを使用して接続待ち受け状態となる。
【０１０９】
同様に、音声・映像蓄積機器１５２も、設置後、メーカー出荷時に登録されている音声・映像蓄積機器１５２を特定する情報（ｂｓｓｉｄやｓｓｉｄ）と、音声・映像蓄積機器１５２に無線接続した際に使用する無線ネットワーク上のデータに暗号をかけるための暗号化キー（ＷＥＰキーなど）とを使用して接続待ち受け状態となる。
【０１１０】
ユーザーは、放送受信機器１５１が受信する放送波を音声・映像表示機器１００を使用して視聴を行う場合、放送受信機器１５１を操作するための放送受信機器用リモコン１６１を使用して、音声・映像表示機器１００に向けて、電源投入などの操作を行う。その際、放送受信機器用リモコン１６１は、放送受信機器１５１と無線ネットワークを構成するために必要な情報として無線接続情報格納領域１６５に保持している、放送受信機器１５１を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１６７を使用して、音声・映像表示機器１００に送信する。
【０１１１】
放送受信機器用リモコン１６１は、放送受信機器１５１と無線ネットワークを構成するために必要な情報として無線接続情報格納領域１６５に保持している、放送受信機器１５１を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１６７を使用して、音声・映像表示機器１００に送信する際、操作コマンドを多重して送信してもよい。
【０１１２】
音声・映像表示機器１００は、放送受信機器１５１を特定する情報（ｂｓｓｉｄやｓｓｉｄ）や無線ネットワーク上のデータに暗号をかけるための暗号化キー（ＷＥＰキーなど）の情報をＩｒＤＡ送受信部１０６で受信して、無線接続情報格納領域１０５に格納する。そして、音声・映像表示機器１００は、無線接続情報格納領域１０５に格納された放送受信機器１５１を特定する情報（ｂｓｓｉｄやｓｓｉｄ）を利用して、無線ネットワークの探索を行い、放送受信機器１５１と無線接続を行う。
【０１１３】
音声・映像表示機器１００は、放送受信機器１５１との無線接続完了後に、放送受信機器用リモコン１６１から受信した操作コマンドを、接続されている無線ネットワークを利用して放送受信機器１５１に送信する。このとき、無線ネットワークを利用して送信する際のデータには、放送受信機器用リモコン１６１から受信した放送受信機器１５１との無線ネットワークで利用される暗号化キー（ＷＥＰキーなど）を利用して暗号化がかけられる。
【０１１４】
無線ネットワーク経由で、音声・映像表示機器１００からの操作コマンドを受信した放送受信機器１５１は、その操作コマンドに応じた処理を実施する。
【０１１５】
また、放送受信機器１５１から音声・映像表示機器１００に送信される音声・映像情報も、同様に無線ネットワークで利用される暗号化キー（ＷＥＰキーなど）を利用して暗号化がかけられる。
【０１１６】
放送受信機器１５１と音声・映像表示機器１００の間で無線接続が行われている状態で、ユーザーが例えば、チャネル切り替えなどの操作を放送受信機器用リモコン１６１を使用して行った場合、放送受信機器用リモコン１６１は、放送受信機器１５１と音声・映像表示機器１００の間で無線接続が行われているかどうか判断するのが難しいため、放送受信機器１５１と無線ネットワークを構成するために必要な情報として無線接続情報格納領域１６５に保持している、放送受信機器１５１を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１６７から再度、音声・映像表示機器１００に送信する。
【０１１７】
音声・映像表示機器１００は、放送受信機器１５１との間で無線接続が行われている状態で、放送受信機器用リモコン１６１から無線接続を行うために必要な放送受信機器１５１を特定する情報（ｂｓｓｉｄやｓｓｉｄ）や無線ネットワーク上のデータに暗号をかけるための暗号化キー（ＷＥＰキーなど）の情報をＩｒＤＡ送受信部１０６で受信した場合は、既に放送受信機器１５１と無線接続が行われているために、再度無線接続処理は行わないで、既に接続されている無線ネットワークを利用して、チャネル切り替えなどの操作コマンドを、放送受信機器１５１との無線ネットワークで利用される暗号化キー（ＷＥＰキーなど）を利用して暗号化して、放送受信機器１５１に送信する。
【０１１８】
ユーザーが新たに、音声・映像蓄積機器１５２に蓄積されている音声・映像情報を音声・映像表示機器１００を使用して視聴したい場合、音声・映像蓄積機器用リモコン１６２を利用して、電源投入、再生ボタンなどの操作を行う。
【０１１９】
操作が行われた音声・映像蓄積機器用リモコン１６２は、音声・映像蓄積機器１５２と無線ネットワークを構成するために必要な情報として無線接続情報格納領域１６６に蓄積されている、音声・映像蓄積機器１５２を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１６８を使用して、音声・映像表示機器１００に送信する。
【０１２０】
音声・映像蓄積機器用リモコン１６２は、音声・映像蓄積機器１５２と無線ネットワークを構成するために必要な情報として無線接続情報格納領域１６６に保持している、音声・映像蓄積機器１５２を特定する情報（ｂｓｓｉｄやｓｓｉｄ）や無線ネットワーク上のデータに暗号をかけるための暗号化キー（ＷＥＰキーなど）の情報を、ＩｒＤＡ送受信部１６８を使用して音声・映像表示機器１００に送信する際、操作コマンドを多重して送信してもよい。
【０１２１】
音声・映像表示機器１００は、音声・映像蓄積機器１５２を特定する情報（ｂｓｓｉｄやｓｓｉｄ）や無線ネットワーク上のデータに暗号をかけるための暗号化キー（ＷＥＰキーなど）の情報をＩｒＤＡ送受信部１０６で受信すると、新たに無線接続情報格納領域１０５に格納する。そして、音声・映像表示機器１００は、無線接続情報格納領域１０５に新たに格納された音声・映像蓄積機器１５２を特定する情報（ｂｓｓｉｄやｓｓｉｄ）を利用して、無線ネットワークの探索を行い、音声・映像蓄積機器１５２と無線接続を行う。
【０１２２】
音声・映像表示機器１００は、音声・映像蓄積機器１５２との無線接続完了後に、音声・映像蓄積機器用リモコン１６２から受信した操作コマンドを、接続されている無線ネットワークを利用して音声・映像蓄積機器１５２に送信する。このとき、無線ネットワークを利用して送信する際のデータには、音声・映像蓄積機器用リモコン１６２から受信した音声・映像蓄積機器１５２との無線ネットワークで利用される暗号化キー（ＷＥＰキーなど）を利用して暗号化がかけられる。
【０１２３】
無線ネットワーク経由で、音声・映像表示機器１００からの操作コマンドを受信した音声・映像蓄積機器１５２は、その操作コマンドに応じた処理を実施する。
【０１２４】
また、音声・映像蓄積機器１５２から音声・映像表示機器１００に送信される音声・映像情報も、同様に無線ネットワークで利用される暗号化キー（ＷＥＰキーなど）を利用して暗号化がかけられる。
【０１２５】
放送受信機器１５１と音声・映像表示機器１００との間で無線接続が行われている状態で、放送受信機器１５１と異なる機器、例えば音声・映像蓄積機器用リモコン１６２から音声・映像蓄積機器１５２を特定する情報（ｂｓｓｉｄやｓｓｉｄ）や無線ネットワーク上のデータに暗号をかけるための暗号化キー（ＷＥＰキーなど）の無線接続を行うために必要な情報を受信した音声・映像表示機器１００は、既に接続されている放送受信機器１５１との無線接続を切断し、新たに受信した音声・映像蓄積機器１５２を特定する情報（ｂｓｓｉｄやｓｓｉｄ）を利用して、無線ネットワークの探索を行い、音声・映像蓄積機器１５２と無線接続を行う。
【０１２６】
新たに無線接続が行われた音声・映像表示機器１００と音声・映像蓄積機器１５２間で伝送される、音声・映像蓄積機器用リモコン１６２からの操作コマンドや音声・映像情報は、新たに無線接続が行われた音声・映像蓄積機器１５２用の暗号化キー（ＷＥＰキーなど）を利用して暗号化がかけられる。
【０１２７】
また、無線接続が切断された放送受信機器１５１は、再度音声・映像表示機器１００からの無線接続要求が有った場合に無線接続が行えるように、接続待ち受け状態に移行する。
【０１２８】
以上に説明したように、本実施の形態２の無線通信システムは、音声・映像表示機器１００と放送受信機器１５１や音声・映像蓄積機器１５２等の音声・映像出力機器により構成されるワイヤレスＡＶ機器においては、音声・映像表示機器１００は放送受信機器１５１や音声・映像蓄積機器１５２等の様々な音声・映像出力機器と無線接続が行われるため、音声・映像出力機器と無線接続を行うために必要な情報（接続先を特定するような情報、ｓｓｉｄやＷＥＰキー等）の音声・映像表示機器１００への、メーカー出荷時等における事前登録は行わない。
【０１２９】
また、放送受信機器１５１や音声・映像蓄積機器１５２等の音声・映像出力機器についても、音声・映像表示機器１００と無線接続を行うために必要な情報（接続相手先を特定するような情報、ｓｓｉｄやＷＥＰキー等）のメーカー出荷時等における事前登録は行わない。
【０１３０】
放送受信機器１５１や音声・映像蓄積機器１５２等の音声・映像出力機器内部に、音声・映像表示機器１００と無線接続を行うために必要な情報（接続先を特定するような情報、ｓｓｉｄやＷＥＰキー等）を保持させておく。
【０１３１】
また、放送受信機器１５１や音声・映像蓄積機器１５２等の音声・映像出力機器と、放送受信機器用リモコン１６１や音声・映像蓄積機器用リモコン１６２等の入力機器に、放送受信機器１５１や音声・映像蓄積機器１５２等の音声・映像出力機器が内部に保持している音声・映像出力機器と無線接続を行うために必要な情報を相互に送受信するための通信手段を持たせている。
【０１３２】
放送受信機器用リモコン１６１や音声・映像蓄積機器用リモコン１６２等の入力機器と音声・映像表示機器１００には、放送受信機器用リモコン１６１や音声・映像蓄積機器用リモコン１６２等の入力機器が保持している、無線接続を行うために必要な情報を相互に送受信を行うための通信手段を持たせている。
【０１３３】
このような構成において、放送受信機器１５１や音声・映像蓄積機器１５２等の音声・映像出力機器を新たに無線ネットワークに構築する場合、放送受信機器１５１や音声・映像蓄積機器１５２等の音声・映像出力機器が内部に保持している音声・映像出力機器と無線接続を行うために必要な情報を、放送受信機器用リモコン１６１や音声・映像蓄積機器用リモコン１６２等の入力機器からの要求により、入力機器に送信する。
【０１３４】
音声・映像出力機器と無線接続を行うために必要な情報を受信した放送受信機器用リモコン１６１や音声・映像蓄積機器用リモコン１６２等の入力機器は、受信した情報を内部に保持する。
【０１３５】
放送受信機器１５１で受信した放送波の音声・映像情報を音声・映像表示機器１００に表示させたい場合、放送受信機器用リモコン１６１を利用して、電源投入や音声・映像切り替え入力などの操作を行う。
【０１３６】
放送受信機器用リモコン１６１は、電源投入や音声・映像切り替え入力などの操作が行われた場合、放送受信機器１５１から予め受信し、無線接続情報格納領域１６５に保持している放送受信機器１５１と無線接続を行うために必要な情報を、音声・映像表示機器１００に送信する。
【０１３７】
放送受信機器１５１と無線接続を行うために必要な情報を、音声・映像表示機器１００へ送信時、電源投入や音声・映像切り替え入力などの操作コマンドを多重して送信してもよいとする。
【０１３８】
放送受信機器用リモコン１６１から放送受信機器１５１と無線接続を行うために必要な情報を受信した音声・映像表示機器１００は、受信した情報を元に、放送受信機器１５１に対して無線接続を行う。
【０１３９】
放送受信機器１５１は、保持している無線接続を行うために必要な情報を元に接続待ち受け状態になっており、放送受信機器用リモコン１６１から無線接続を行うために必要な情報を受け取った音声・映像表示機器１００から接続要求が行われたときに、無線接続を行うものとする。
【０１４０】
本実施の形態２の無線通信システムを用いることにより、音声・映像出力機器は無線接続待ち状態となり、放送受信機器１５１や音声・映像蓄積機器１５２等の音声・映像出力機器を操作するための放送受信機器用リモコン１６１や音声・映像蓄積機器用リモコン１６２等の入力機器に、放送受信機器１５１や音声・映像蓄積機器１５２等の音声・映像出力機器と無線接続を行うために必要な情報を保持させておき、電源投入時や音声・映像委入力切替時等の操作を行ったときに、音声・映像表示機器１００に表示する音声・映像情報を所有している放送受信機器１５１や音声・映像蓄積機器１５２等の音声・映像出力機器と無線接続を行うため、容易に無線ネットワークの変更を行える。
【０１４１】
（実施の形態３）
図４は、本発明の実施の形態３の無線通信システムの構成図を示している。なお、図３と同じ構成部分には同じ符号を用いている。
【０１４２】
図１および図３に示した実施の形態１および実施の形態２の無線通信システムの場合、無線ネットワークで構成される放送受信機器や映像蓄積機器等の音声・映像出力機器毎に、音声・映像出力機器を操作するための放送受信機器用リモコンや映像蓄積機器用リモコン等の入力機器が必要となるため、無線ネットワークを拡張していき、接続台数が増えた場合、膨大な数の入力機器を使用しなくてはならないというデメリットが発生する。
【０１４３】
本実施の形態３の無線通信システムは、この実施の形態１および実施の形態２のデメリットを解決するものである。
【０１４４】
本実施の形態３の無線通信システムは、放送受信機器１５１や音声・映像蓄積機器１５２等の音声・映像出力機器と、音声・映像表示機器用入力機器１３０と、音声・映像表示機器１００を備えている。
【０１４５】
なお、音声・映像表示機器１００が、本発明の出力装置の一例にあたる。また、放送受信機器１５１および音声・映像蓄積機器１５２が、いずれも本発明の送信装置の一例にあたる。また、音声・映像表示機器用入力機器１３０が、本発明の入力装置の一例にあたる。
【０１４６】
本実施の形態３の無線通信システムでは、放送受信機器１５１の無線接続情報格納領域１５５に、無線接続を行うために必要な情報として、放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）をメーカー出荷時に登録しておく。
【０１４７】
同様に、音声・映像蓄積機器１５２の無線接続情報格納領域１５６に、無線接続を行うために必要な情報として、音声・映像蓄積機器１５２を特定する情報（ｂｓｓｉｄやｓｓｉｄ）と音声・映像蓄積機器１５２に無線接続した際に使用する無線ネットワーク上のデータに暗号をかけるための暗号化キー（ＷＥＰキーなど）をメーカー出荷時に登録しておく。
【０１４８】
音声・映像表示機器１００および音声・映像表示機器用入力機器１３０は、これらの装置間で電源投入、チャネル切替等の操作コマンドを送受信するために、それぞれＩｒＤＡ送受信部１０６およびＩｒＤＡ送受信部１３７を有している。なお、ＩｒＤＡ送受信部１３７が、本発明の接続情報送信手段の一例にあたる。
【０１４９】
音声・映像表示機器用入力機器１３０が有しているＩｒＤＡ送受信部１３７は、音声・映像表示機器１００との間で操作コマンドの通信を行うだけではなく、放送受信機器１５１が無線接続情報格納領域１５５に保持している、放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）等の無線接続を行うために必要な情報とを、放送受信機器１５１と音声・映像表示機器用入力機器１３０との間で送受信するための通信手段としての拡張が行われている。
【０１５０】
また、ＩｒＤＡ送受信部１３７は、音声・映像蓄積機器１５２が無線接続情報格納領域１５６に保持している、音声・映像蓄積機器１５２を特定する情報（ｂｓｓｉｄやｓｓｉｄ）と音声・映像蓄積機器１５２に無線接続した際に使用する無線ネットワーク上のデータに暗号をかけるための暗号化キー（ＷＥＰキーなど）等の無線接続を行うために必要な情報とを、音声・映像蓄積機器１５２と音声・映像表示機器用入力機器１３０との間で送受信するための通信手段としての拡張も行われている。
【０１５１】
また、音声・映像表示機器用入力機器１３０は、無線接続情報格納領域１３５を有しており、ＩｒＤＡ送受信部１３７で受信した、放送受信機器１５１の無線接続情報格納領域１５５に保持している放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）等の無線接続を行うために必要な情報や、音声・映像蓄積機器１５２の無線接続情報格納領域１５６に保持している音声・映像蓄積機器１５２を特定する情報（ｂｓｓｉｄやｓｓｉｄ）と音声・映像蓄積機器１５２に無線接続した際に使用する無線ネットワーク上のデータに暗号をかけるための暗号化キー（ＷＥＰキーなど）等の無線接続を行うために必要な情報を、この無線接続情報格納領域１３５に保持しておく。
【０１５２】
なお、無線接続情報格納領域１３５が、本発明の受信接続情報記憶手段の一例にあたる。
【０１５３】
音声・映像表示機器用入力機器１３０が有しているＩｒＤＡ送受信部１３７は、音声・映像表示機器１００にも、操作コマンドを送信する。それに加えてＩｒＤＡ送受信部１３７は、放送受信機器１５１や音声・映像蓄積機器１５２から受信して無線接続情報格納領域１３５に保持している、音声・映像表示機器１００と無線ネットワークを構築する放送受信機器１５１や音声・映像蓄積機器１５２等の音声・映像出力機器を特定する情報（ｂｓｓｉｄやｓｓｉｄ）と、放送受信機器１５１や音声・映像蓄積機器１５２等の音声・映像出力機器との無線接続した際に使用する無線ネットワーク上のデータに暗号をかけるための暗号化キー（ＷＥＰキーなど）等の無線接続を行うために必要な情報とを、音声・映像表示機器１００に送信するための通信手段としての拡張が行われている。
【０１５４】
次に、本実施の形態３の無線通信システムの動作について説明する。
【０１５５】
放送受信機器１５１は、設置後、メーカー出荷時に登録されている放送受信機器１５１を特定する情報（ｂｓｓｉｄやｓｓｉｄ）と、放送受信機器１５１に無線接続した際に使用する無線ネットワーク上のデータに暗号をかけるための暗号化キー（ＷＥＰキーなど）とを使用して接続待ち受け状態となる。
【０１５６】
同様に、音声・映像蓄積機器１５２は、設置後、メーカー出荷時に登録されている音声・映像蓄積機器１５２を特定する情報（ｂｓｓｉｄやｓｓｉｄ）と、音声・映像蓄積機器１５２に無線接続した際に使用する無線ネットワーク上のデータに暗号をかけるための暗号化キー（ＷＥＰキーなど）とを使用して接続待ち受け状態となる。
【０１５７】
ユーザーは、音声・映像表示機器１００と無線接続を行わせる機器として放送受信機器１５１を新たに追加する場合、まず最初に音声・映像表示機器用入力機器１３０が、新たに追加する放送受信機器１５１の無線接続情報格納領域１５５に保持されている放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）等の無線接続を行うために必要な情報とを、ＩｒＤＡ送受信部１３７で受信して無線接続情報格納領域１３５に保持する。
【０１５８】
同様に、音声・映像表示機器１００と無線接続を行わせる機器として音声・映像蓄積機器１５２を新たに追加する場合には、まず最初に音声・映像表示機器用入力機器１３０が、新たに追加する音声・映像蓄積機器１５２の無線接続情報格納領域１５５に保持されている音声・映像蓄積機器１５２を特定する情報（ｂｓｓｉｄやｓｓｉｄ）と音声・映像蓄積機器１５２に無線接続した際に使用する無線ネットワーク上のデータに暗号をかけるための暗号化キー（ＷＥＰキーなど）等の無線接続を行うために必要な情報とを、ＩｒＤＡ送受信部１３７で受信して無線接続情報格納領域１３５に保持する。
【０１５９】
例えば、放送受信機器１５１を音声・映像表示機器１００と初めて無線接続させる場合、音声・映像表示機器用入力機器１３０は、放送受信機器１５１が無線接続情報格納領域１５５に保持している、放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）等の無線接続を行うために必要な情報とを取得するために、放送受信機器１５１が無線接続情報格納領域１５５に保持している放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）等の無線接続を行うために必要な情報との取得要求を、ＩｒＤＡ送受信部１３７を使用して行う。
【０１６０】
放送受信機器１５１は、音声・映像表示機器用入力機器１３０からの無線接続を行うために必要な情報の取得要求をＩｒＤＡ送受信部１５７で受信すると、無線接続情報格納領域１５５に保持している放送受信機器１５１と無線接続した際に使用する無線ネットワーク上のデータに暗号をかけるための暗号化キー（ＷＥＰキーなど）等の無線接続を行うために必要な情報とを、ＩｒＤＡ送受信部１５７を使用して音声・映像表示機器用入力機器１３０に送信する。
【０１６１】
音声・映像表示機器用入力機器１３０は、放送受信機器１５１からの放送受信機器１５１と無線接続した際に使用する無線ネットワーク上のデータに暗号をかけるための暗号化キー（ＷＥＰキーなど）等の無線接続を行うために必要な情報とをＩｒＤＡ送受信部１３７で受信すると、その受信した情報を無線接続情報格納領域１３５に保持させ、登録を行う。
【０１６２】
音声・映像表示機器用入力機器１３０の入力キーにより放送受信機器１５１への入力の切り替えを指示して、放送受信機器１５１に入力を切り替えた場合、音声・映像表示機器用入力機器１３０は、入力切替の制御コードの他に、音声・映像表示機器用入力機器１３０の無線接続情報格納領域１３５に保持されている、放送受信機器１５１と無線接続を行うために必要な放送受信機器１５１を特定する情報（ｂｓｓｉｄやｓｓｉｄ）と放送受信機器１５１と無線接続した際に使用する無線ネットワーク上のデータに暗号をかけるための暗号化キー（ＷＥＰキーなど）等を、ＩｒＤＡ送受信部１３７を使用して音声・映像表示機器１００に対して送信する。
【０１６３】
音声・映像表示機器１００は、放送受信機器１５１と無線接続を行うための情報をＩｒＤＡ送受信部１０６で受信すると、無線接続情報格納領域１０５に格納する。そして、その放送受信機器１５１を特定する情報（ｂｓｓｉｄやｓｓｉｄ）を使用して放送受信機器１５１と無線接続を行う。
【０１６４】
そして、音声・映像表示機器１００は、放送受信機器１５１との無線接続完了後に、音声・映像表示機器用入力機器１３０から受信した操作コマンドを、接続されている無線ネットワークを利用して放送受信機器１５１に送信する。このとき、無線ネットワークを利用して送信する際のデータには、音声・映像表示機器用入力機器１３０から受信した放送受信機器１５１との無線ネットワークで利用される暗号化キー（ＷＥＰキーなど）を利用して暗号化がかけられる。
【０１６５】
無線ネットワーク経由で、音声・映像表示機器１００からの操作コマンドを受信した放送受信機器１５１は、その操作コマンドに応じた処理を実施する。
【０１６６】
また、放送受信機器１５１から音声・映像表示機器１００に送信される音声・映像情報も、同様に無線ネットワークで利用される暗号化キー（ＷＥＰキーなど）を利用して暗号化がかけられる。
【０１６７】
新たに音声・映像表示機器１００と無線ネットワークを構築する放送受信機器１５１や音声・映像蓄積機器１５２等の音声・映像出力機器を増設する場合、音声・映像表示機器用入力機器１３０は、新たに増設する放送受信機器１５１の無線接続情報格納領域１５５や音声・映像蓄積機器１５２の無線接続情報格納領域１５６に保持されている放送受信機器１５１や音声・映像蓄積機器１５２と無線接続を行うための情報を、ＩｒＤＡ送受信部１３７などの通信手段を用いて取得する。
【０１６８】
音声・映像表示機器用入力機器１３０は、取得した無線接続を行うために必要な放送受信機器１５１や音声・映像蓄積機器１５２等の音声・映像出力機器を特定する情報（ｂｓｓｉｄやｓｓｉｄ）と放送受信機器１５１や音声・映像蓄積機器１５２等の音声・映像出力機器に無線接続した際に使用する無線ネットワーク上のデータに暗号をかけるための暗号化キー（ＷＥＰキーなど）の情報とが、既に無線接続情報格納領域１３５に登録されている機器の情報と異なる機器の情報の場合は、その新たに取得した放送受信機器１５１や音声・映像蓄積機器１５２等の音声・映像出力機器と無線接続を行うための情報を、既に保持している情報を削除しないで無線接続情報格納領域１３５に追加して保持する。
【０１６９】
音声・映像表示機器用入力機器１３０の無線接続情報格納領域１３５に保持される放送受信機器１５１や音声・映像蓄積機器１５２等の音声・映像出力機器と無線接続を行うための情報が増えることで、音声・映像表示機器１００と無線接続を行える放送受信機器１５１や音声・映像蓄積機器１５２等の音声・映像出力機器が増えることになる。
【０１７０】
例えば、既に音声・映像表示機器１００と放送受信機器１５１との無線ネットワークが登録されている状態で、新たに音声・映像蓄積機器１５２との無線ネットワークを構築させる場合、まず音声・映像表示機器用入力機器１３０が、ＩｒＤＡ送受信部１３７により音声・映像蓄積機器１５２と通信を行うことで、音声・映像蓄積機器１５２の無線接続情報格納領域１５６に保持されている、音声・映像蓄積機器１５２を特定する情報（ｂｓｓｉｄやｓｓｉｄ）と音声・映像蓄積機器１５２に無線接続した際に使用する無線ネットワーク上のデータに暗号をかけるための暗号化キー（ＷＥＰキーなど）の情報等との無線接続に必要な情報を、音声・映像蓄積機器１５２から取得する。
【０１７１】
音声・映像表示機器用入力機器１３０は、無線接続情報格納領域１３５に既に保持されている放送受信機器１５１と無線接続を行うための情報と、新たに取得した音声・映像蓄積機器１５２と無線接続を行うための情報とを比較する。この比較の方法は、放送受信機器１５１や音声・映像蓄積機器１５２の音声・映像出力機器を特定する情報（ｂｓｓｉｄやｓｓｉｄ）と放送受信機器１５１や音声・映像蓄積機器１５２の音声・映像出力機器に無線接続した際に使用する無線ネットワーク上のデータに暗号をかけるための暗号化キー（ＷＥＰキーなど）の情報等との全ての情報を比較してもよいが、放送受信機器１５１や音声・映像蓄積機器１５２の音声・映像出力機器を特定する情報（ｂｓｓｉｄやｓｓｉｄ）だけの比較でもよい。
【０１７２】
これらを比較した結果、同一の情報の場合には、新たに取得した無線接続に必要な情報を削除する、または、無線接続情報格納領域１３５に既に保持されている情報と同じ領域に新たな情報を保持（上書き）する。
【０１７３】
上記の例では、比較結果が異なるので、無線接続情報格納領域１３５の、放送受信機器１５１と無線接続を行うための情報が保持されている領域とは異なる領域に、音声・映像蓄積機器１５２と無線接続を行うための情報が追加されて保持されることになる。
【０１７４】
音声・映像表示機器用入力機器１３０には、放送受信機器１５１と無線接続を行うための情報と、音声・映像蓄積機器１５２と無線接続を行うための情報の二つの機器の情報が保持されることになるので、音声・映像表示機器１００は、音声・映像表示機器１００が有する有線の外部音声・映像入力＋無線ネットワーク音声・映像入力（図４に示す本実施の形態３の例では２つ）分の外部音声・映像入力を持つことになる。
【０１７５】
例えば、音声・映像表示機器１００が有線の外部音声・映像入力を３つ持っている場合には、音声・映像表示機器１００は無線ネットワーク音声・映像入力を含めて５つの外部音声・映像入力を持つことになり、音声・映像表示機器用入力機器１３０を使用して音声・映像入力切替を行う毎に、外部入力１、外部入力２、外部入力３、無線入力１、無線入力２、外部入力１、…と切り替わることになる。
【０１７６】
図５は、音声・映像表示機器用入力機器１３０における入力切替順の一例を示している。
【０１７７】
音声・映像表示機器１００の有線の外部音声・映像入力は物理的なもので増減することは無いが、無線による音声・映像入力は増減する事になるので、無線接続する機器を増やした場合、音声・映像表示機器用入力機器１３０を使用して音声・映像入力切替を行ったときには、例えば図５のような順で入力切り替えが行われる。音声・映像表示機器用入力機器１３０は、音声・映像出力機器と無線接続を行うために必要な情報を無線接続情報格納領域１３５に格納できる件数分、切り替えできる入力機器を増加させることができる。
【０１７８】
音声・映像表示機器用入力機器１３０で入力切替を行う際の音声・映像表示機器１００等への表示内容については、無線入力の番号は、音声・映像表示機器用入力機器１３０に無線接続を行うのに必要な情報を登録した順等、わかりやすい順とし、入力表示は、単に「無線入力１」等の表示で無線接続機器を特定できる表示とし、さらにユーザーが識別しやすいｓｓｉｄを利用して表示させてもよい
無線入力の番号を、音声・映像表示機器用入力機器１３０に無線接続を行うのに必要な情報を登録した順とした場合、上述の例では、無線入力１が放送受信機器１５１となり、無線入力２が音声・映像蓄積機器１５２となる。
【０１７９】
外部入力が３つ、無線入力が２つで、外部入力１、外部入力２，外部入力３、無線入力１、無線入力２、外部入力１、…の順で入力切替が行われる場合を例にして、以下に本実施の形態３の無線通信システムの入力切替動作について説明する。
【０１８０】
外部入力２から入力されている音声・映像情報が音声・映像表示機器１００に表示されている状態で、音声・映像表示機器用入力機器１３０を利用して、音声・映像入力切替を行った場合には、音声・映像表示機器用入力機器１３０は、音声・映像表示機器１００へ音声・映像入力切り替えが行われたことを通知する制御コードのみを通知する。そして、音声・映像入力切替が行われた事を通知する制御コードを受信した音声・映像表示機器１００は、音声・映像入力切替を行い、外部入力３に入力されている音声・映像情報を表示する。
【０１８１】
一方、外部入力３から入力されている音声・映像情報が音声・映像表示機器１００に表示されている状態で、音声・映像表示機器用入力機器１３０を利用して、音声・映像入力切替が行われた場合には、音声・映像表示機器用入力機器１３０は、切り替える入力ソースが無線入力１となるため、上述の例の場合では放送受信機器１５１と無線接続を行うために必要な放送受信機器１５１を特定する情報（ｂｓｓｉｄやｓｓｉｄ）と、放送受信機器１５１に無線接続した際に使用する無線ネットワーク上のデータに暗号をかけるための暗号化キー（ＷＥＰキーなど）等の情報と、音声・映像入力切替が行われたことを通知する制御コードとを、音声・映像表示機器１００に通知する。
【０１８２】
音声・映像表示機器１００は、放送受信機器１５１と無線接続を行うために必要な、放送受信機器１５１を特定する情報（ｂｓｓｉｄやｓｓｉｄ）と放送受信機器１５１に無線接続した際に使用する無線ネットワーク上のデータに暗号をかけるための暗号化キー（ＷＥＰキーなど）等の情報とを受信すると、放送受信機器１５１を特定する情報（ｂｓｓｉｄやｓｓｉｄ）を使用して、放送受信機器１５１と無線接続を行う。
【０１８３】
そして、音声・映像表示機器１００は、放送受信機器１５１との無線接続完了後に、音声・映像表示機器用入力機器１３０から受信した操作コマンドを、接続されている無線ネットワークを利用して放送受信機器１５１に送信する。このときに、無線ネットワークを利用して送信する際のデータには、音声・映像表示機器用入力機器１３０から受信した放送受信機器１５１との無線ネットワークで利用される暗号化キー（ＷＥＰキーなど）を利用して暗号化がかけられる。
【０１８４】
無線ネットワーク経由で、音声・映像表示機器１００からの操作コマンドを受信した放送受信機器１５１は、その操作コマンドに応じた処理を実施する。
【０１８５】
また、放送受信機器１５１から音声・映像表示機器１００に送信される音声・映像情報も、同様に無線ネットワークで利用される暗号化キー（ＷＥＰキーなど）を利用して暗号化がかけられる。
【０１８６】
音声・映像表示機器１００は、放送受信機器１５１から受信した音声・映像情報を、音声・映像表示機器用入力機器１３０から受信した放送受信機器１５１との無線ネットワークで利用される暗号化キー（ＷＥＰキーなど）を利用して復号化して、表示を行う。
【０１８７】
無線入力１から入力されている音声・映像情報（すなわち、放送受信機器１５１から無線ネットワーク経由で受信している音声・映像情報）が音声・映像表示機器１００に表示されている状態で、音声・映像表示機器用入力機器１３０を利用して、音声・映像入力切替を行った場合、音声・映像表示機器用入力機器１３０は、切り替える入力ソースが無線入力２となるため、上述の例の場合では、音声・映像蓄積機器１５２と無線接続を行うために必要な音声・映像蓄積機器１５２を特定する情報（ｂｓｓｉｄやｓｓｉｄ）と、音声・映像蓄積機器１５２に無線接続した際に使用する無線ネットワーク上のデータに暗号をかけるための暗号化キー（ＷＥＰキーなど）等の情報と、音声・映像入力切替が行われたことを通知する制御コードとを、音声・映像表示機器１００に通知する。
【０１８８】
音声・映像表示機器１００は、音声・映像蓄積機器１５２と無線接続を行うために必要な、音声・映像蓄積機器１５２を特定する情報（ｂｓｓｉｄやｓｓｉｄ）と音声・映像蓄積機器１５２に無線接続した際に使用する無線ネットワーク上のデータに暗号をかけるための暗号化キー（ＷＥＰキーなど）等の情報とを受信すると、既に接続されている放送受信機器１５１との無線接続を切断し、音声・映像蓄積機器１５２を特定する情報（ｂｓｓｉｄやｓｓｉｄ）を使用して、音声・映像蓄積機器１５２との無線接続を行う。
【０１８９】
そして、音声・映像表示機器１００は、音声・映像蓄積機器１５２との無線接続完了後に、音声・映像表示機器用入力機器１３０から受信した操作コマンドを、接続されている無線ネットワークを利用して音声・映像蓄積機器１５２に送信する。このとき、無線ネットワークを利用して送信する際のデータには、音声・映像表示機器用入力機器１３０から受信した音声・映像蓄積機器１５２との無線ネットワークで利用される暗号化キー（ＷＥＰキーなど）を利用して暗号化がかけられる。
【０１９０】
無線ネットワーク経由で、音声・映像表示機器１００からの操作コマンドを受信した音声・映像蓄積機器１５２は、その操作コマンドに応じた処理を実施する。
【０１９１】
また、音声・映像蓄積機器１５２から音声・映像表示機器１００に送信される音声・映像情報も、同様に無線ネットワークで利用される暗号化キー（ＷＥＰキーなど）を利用して暗号化がかけられる。
【０１９２】
そして、音声・映像表示機器１００は、音声・映像蓄積機器１５２から受信した音声・映像情報を、音声・映像表示機器用入力機器１３０から受信した音声・映像蓄積機器１５２との無線ネットワークで利用される暗号化キー（ＷＥＰキーなど）を利用して復号化して、表示を行う。
【０１９３】
次に、無線入力２から入力されている音声・映像情報（すなわち、音声・映像蓄積機器１５２から無線ネットワーク経由で受信している音声・映像情報）が音声・映像表示機器１００に表示されている状態で、音声・映像表示機器用入力機器１３０を利用して、音声・映像入力切替を行った場合、音声・映像表示機器用入力機器１３０は、切り替える入力ソースが外部入力１となるため、上述の例の場合では、音声・映像入力切替が行われたことを通知する制御コードのみを音声・映像表示機器１００に通知する。
【０１９４】
音声・映像表示機器１００は、音声・映像入力切替が行われたことを通知する制御コードを受信すると、音声・映像蓄積機器１５２との無線接続を切断し、音声・映像入力切替を行い、外部入力１に入力されている音声・映像情報を表示する。
【０１９５】
図６は、音声・映像表示機器用入力機器１３０の、入力ボタンの配置例を示している。
【０１９６】
音声・映像表示機器用入力機器１３０を使用しての音声・映像入力切り替えにおいて、一つの音声・映像入力切り替えボタンで行っても良いが、図６に示すようなボタン配置にして、外部音声・映像入力「外部入力」と、無線ネットワークによる音声・映像入力「無線入力」というように、切り替えボタンを別々にしてもよい。
【０１９７】
以上に説明したように、本実施の形態３の無線通信システムは、音声・映像表示機器１００と放送受信機器１５１や音声・映像蓄積機器１５２等の音声・映像出力機器により構成されるワイヤレスＡＶ機器においては、音声・映像表示機器１００は放送受信機器１５１や音声・映像蓄積機器１５２等の様々な音声・映像出力機器と無線接続が行われるため、音声・映像表示機器１００は、音声・映像出力機器と無線接続を行うために必要な情報（接続先を特定するような情報、ｓｓｉｄやＷＥＰキー等）を保持しない。
【０１９８】
また、放送受信機器１５１や音声・映像蓄積機器１５２等の音声・映像出力機器も、音声・映像表示機器１００と無線接続を行うために必要な情報（接続相手先を特定するような情報、ｓｓｉｄやＷＥＰキー等）を保持しない。
【０１９９】
放送受信機器１５１や音声・映像蓄積機器１５２等の音声・映像出力機器内部に、音声・映像出力機器と無線接続を行うために必要な情報（接続先を特定するような情報、ｓｓｉｄやＷＥＰキー等）を保持させておく。
【０２００】
また、音声・映像表示機器用入力機器１３０と放送受信機器１５１や音声・映像蓄積機器１５２等の音声・映像出力機器に、放送受信機器１５１や音声・映像蓄積機器１５２等の音声・映像出力機器が内部で保持している無線接続を行うために必要な情報を相互に送受信を行うための通信手段を持たせている。
【０２０１】
また、音声・映像表示機器用入力機器１３０は、放送受信機器１５１や音声・映像蓄積機器１５２等の音声・映像出力機器内部に保持されている無線接続を行うために必要な情報を、放送受信機器１５１や音声・映像蓄積機器１５２等の音声・映像出力機器から受信し、受信した無線接続を行うために必要な情報を保持しておく機能を有している。
【０２０２】
このような構成において、放送受信機器１５１や音声・映像蓄積機器１５２等の音声・映像出力機器を新たに無線ネットワークに構築する場合、放送受信機器１５１や音声・映像蓄積機器１５２等の音声・映像出力機器の音声・映像情報を表示する音声・映像表示機器１００を操作するための音声・映像表示機器用入力機器１３０に、音声・映像出力機器が内部に保持している音声・映像出力機器と無線接続をするために必要な情報を送信する。
【０２０３】
音声・映像表示機器１００と無線接続をするために必要な情報を受信した音声・映像表示機器用入力機器１３０は、無線接続情報格納領域１３５に受信した情報を保持しておく。
【０２０４】
音声・映像表示機器１００に放送受信機器１５１や音声・映像蓄積機器１５２等の音声・映像出力機器の音声・映像情報を表示させる時に、音声・映像表示機器用入力機器１３０を使用して、音声・映像切替入力などの操作を行い、操作時に音声・映像表示機器用入力機器１３０から無線接続情報格納領域１３５に保持されている該当する放送受信機器１５１や音声・映像蓄積機器１５２等の音声・映像出力機器と無線接続を行うために必要な情報を送信する。
【０２０５】
音声・映像表示機器用入力機器１３０から無線接続を行うために必要な情報を音声・映像表示機器１００に送信する場合、音声・映像表示機器用入力機器１３０の操作コマンドデータを多重して送信する事もできる。
【０２０６】
本実施の形態３の無線通信システムを用いることにより、音声・映像出力機器は無線接続待ち状態となり、放送受信機器１５１や音声・映像蓄積機器１５２等の音声・映像出力機器を操作するための音声・映像出力機器用入力機器１３０に、放送受信機器１５１や音声・映像蓄積機器１５２等の音声・映像出力機器と無線接続を行うために必要な情報を保持させておき、電源投入時や音声・映像入力切替等の操作を行ったときに、音声・映像表示機器１００に表示する音声・映像情報を所有している放送受信機器１５１や音声・映像蓄積機器１５２等の音声・映像出力機器と無線接続を行うため、容易に無線ネットワークの変更を行える。
【０２０７】
本発明の無線通信システムおよび無線接続方法は、音声・映像表示機器１００のような表示機器を表示・再生機器として利用する各種無線ネットワーク全般に適用できる。
【０２０８】
図７は、本発明の無線通信システムの構成例を示したシステム構成図である。
【０２０９】
実施の形態１で、放送受信機器１１１及び音声・映像蓄積機器１１２として説明した音声・映像出力機器は、接続待ち受け状態となることからＩＥＥＥで規定されている無線ＬＡＮシステムのような場合は、アクセスポイント（以下ＡＰ）として無線ネットワークを構成することになる。通常パソコン１５０等は無線接続を行うステーション（以下ＳＴＡ）の動作を行うため、図７に示すようにパソコン１５０からもＡＰとして動作している放送受信機器１１１及び音声・映像蓄積機器１１２として説明した音声・映像出力機器に無線接続を完了することができる。そして、テレビのような音声・映像表示機器１００のみでなく、パソコン１５０からも放送受信機器１１１や音声・映像蓄積機器１１２の音声・映像データの表示・再生を行わせるようにすることが可能となる。
【０２１０】
また、テレビのような音声・映像表示機器１００がインタネットブラウザになるような場合でも、音声・映像表示機器１００から無線接続を行うため、音声・映像表示機器１００がＳＴＡとして動作している無線ネットワークが構築されているため、音声・映像表示機器１００からも容易に汎用の無線ネットワークに音声・映像表示機器１００を接続する事もできる。
【産業上の利用可能性】
【０２１１】
本発明に係る無線通信システム、出力装置および無線接続方法は、容易に新たな機器との無線接続ができるので、８０２．１１ａや８０２．１１ｂ等の無線ＬＡＮ及びＢｌｕｅｔｏｏｔｈ等の無線通信を使用したワイヤレスＡＶ機器を利用する無線通信システム、出力装置および無線接続方法等として有用である。
【図面の簡単な説明】
【０２１２】
【図１】本発明の実施の形態１の無線通信システムの構成図
【図２】本発明の実施の形態１の無線通信システムの各機器間の通信情報の流れを説明する図
【図３】本発明の実施の形態２の無線通信システムの構成図
【図４】本発明の実施の形態３の無線通信システムの構成図
【図５】本発明の実施の形態３の、音声・映像表示機器用入力機器１３０における入力切替順の一例を示す図
【図６】本発明の実施の形態３の、音声・映像表示機器用入力機器１３０の入力ボタンの配置例を示す図
【図７】本発明の無線通信システムの構成例を示したシステム構成図
【図８】従来の、無線通信を利用したワイヤレスＴＶ受像器の構成図
【符号の説明】
【０２１３】
１００  音声・映像表示機器
１０５、１２５、１２６、１３５、１５５、１５６、１６５、１６６  無線接続情報格納領域
１０６、１１７、１１８、１２７、１２８、１３７、１５７、１５８、１６７、１６８  ＩｒＤＡ送受信部
１１１、１５１  放送受信機器
１１２、１５２  音声・映像蓄積機器
１２１、１６１  放送受信機器用リモコン
１２２、１６２  音声・映像蓄積機器用リモコン
１３０  音声・映像表示機器用入力機器
２０１  電源ｏｎ／放送受信部接続情報
２０２  ｃｈ切替／放送受信部接続情報
２１１  電源ｏｎ要求
２１２  ｃｈ切替要求
２２１  無線接続処理
２２２  放送波１映像データ
２２３  放送波２映像データ
２２４  切断処理
２３１  再生要求／映像蓄積部接続情報
２４１  再生要求
２５１  無線接続処理
２５２  映像蓄積部映像データ
【図１】
2007060037.tif 000003
【図２】
2007060037.tif 000004
【図３】
2007060037.tif 000005
【図４】
2007060037.tif 000006
【図５】
2007060037.tif 000007
【図６】
2007060037.tif 000008
【図７】
2007060037.tif 000009
【図８】
2007060037.tif 000010